(57)【要約】      （修正有）【課題】棒状部材に柔軟シート状部材を固定するための園芸用クリップにおいて、少なくとも、棒状部材に対する柔軟シート状部材の固定強度を高める。【解決手段】園芸用クリップ５は、棒状部材に挟み付けられかつ挟持幅が弾性的に拡大または縮小可能に構成される挟持部６と、この挟持部６に一体に形成されかつ挟持部６の挟持幅を弾性的に拡大させるように操作するための一対の摘み片７，８と、挟持部６に一体に形成されかつ起立姿勢から傾倒姿勢に折り曲げられて一対の摘み片７，８の対向間に楔状に押し込まれたときに当該一対の摘み片７，８を離隔させるように突っ張って挟持部６の挟持幅を弾性的に縮小させるためのロック片９とを有する。ロック片９は、一対の摘み片７，８の対向方向と直交する方向に配置されている。【選択図】図１
2018000017.tif 000002
【特許請求の範囲】
【請求項１】
棒状部材に柔軟シート状部材を固定するための園芸用クリップであって、
前記棒状部材に挟み付けられかつ挟持幅が弾性的に拡大または縮小可能に構成される挟持部と、
この挟持部に一体に形成されかつ前記挟持部の挟持幅を弾性的に拡大させるように操作するための一対の摘み片と、
前記挟持部に一体に形成されかつ起立姿勢から傾倒姿勢に折り曲げられて前記一対の摘み片の対向間に楔状に押し込まれたときに当該一対の摘み片を離隔させるように突っ張って前記挟持部の挟持幅を弾性的に縮小させるためのロック片とを有し、
前記ロック片は、前記一対の摘み片の対向方向と直交する方向に配置されている、ことを特徴とする園芸用クリップ。
【請求項２】
請求項１に記載の園芸用クリップにおいて、
前記挟持部は、周方向の１ヶ所が分離された筒状部材とされ、
前記一対の摘み片は、板状部材とされ、かつ前記挟持部に径方向外向きに延出するように連接されることによってそれらの対向間に側面視でＶ字形の空間を作るものとされ、
前記ロック片は、前記筒状部材からなる挟持部の中心軸線方向において前記一対の摘み片の一側に、前記挟持部の径方向外向きに延出するように起立した姿勢で連接されている、ことを特徴とする園芸用クリップ。
【請求項３】
請求項１または２に記載の園芸用クリップにおいて、
前記ロック片は、前記一対の摘み片の対向方向と直交する方向で前記一対の摘み片と隣り合うように配置されている、ことを特徴とする園芸用クリップ。
【請求項４】
請求項２または３に記載の園芸用クリップにおいて、
前記一対の摘み片の内面には、その付け根側から先端側へ向けて複数の溝状部が並んで設けられており、
前記ロック片は、板状に形成され、かつ傾倒姿勢に折り曲げられたときに当該ロック片においてその延出方向に沿う両側辺が前記複数の溝状部のうちのいずれかに嵌入される、ことを特徴とする園芸用クリップ。
【発明の詳細な説明】
【技術分野】
【０００１】
本発明は、棒状部材に柔軟シート状部材を固定するための園芸用クリップに関する。
【背景技術】
【０００２】
例えば果樹園やビニールハウスの周囲に支柱や横桟等の構造材を配置し、当該構造材にシートやネット等の柔軟シート状部材を覆うようにすることがある。この柔軟シート状部材は、前記構造材に固定する必要があるが、その固定には、例えば特許文献１に示されているようなクリップが用いられる。
【０００３】
この特許文献１のクリップは、略Ｃ字形状の筒状挟持部に一対の摘み片を設けるとともに、この一対の摘み片のうちの一方の内面に突っ張りロック片を薄肉部を介して連接した構成であって、前記一対の摘み片のＶ字形の対向空間内に前記突っ張りロック片を押し込むことにより、前記一対の摘み片を離隔させるように突っ張って前記筒状挟持部の挟持幅を弾性的に狭める状態（ロック状態）にするようになっている。
【先行技術文献】
【特許文献】
【０００４】
【特許文献１】特許第４００２９２２号公報
【発明の概要】
【発明が解決しようとする課題】
【０００５】
上記特許文献１のクリップは、前記突っ張りロック片を前記一対の摘み片のうちの一方の内面に薄肉部を介して連接している関係より、前記ロック状態にしたときに、前記薄肉部が撓むおそれがある。そのような撓みが発生すると、前記突っ張りロック片による突っ張り力が弱くなるので、前記支柱に対する前記柔軟シート状部材の固定強度が不足することが起こり得る。
【０００６】
また、上記特許文献１のクリップの場合、前記突っ張りロック片を前記Ｖ字形の対向空間内に押し込んでいない状態（アンロック状態）においても、当該突っ張りロック片が前記Ｖ字形の対向空間内に隠れた状態で配置されている関係より、ロック状態にしている場合に、そのことを外から目視確認しにくいことも懸念される。
【０００７】
このような事情に鑑み、本発明は、前記支柱のような棒状部材に柔軟シート状部材を固定するための園芸用クリップにおいて、少なくとも、前記棒状部材に対する前記柔軟シート状部材の固定強度を高めることを目的としている。
【課題を解決するための手段】
【０００８】
本発明は、棒状部材に柔軟シート状部材を固定するための園芸用クリップであって、前記棒状部材に挟み付けられかつ挟持幅が弾性的に拡大または縮小可能に構成される挟持部と、この挟持部に一体に形成されかつ前記挟持部の挟持幅を弾性的に拡大させるように操作するための一対の摘み片と、前記挟持部に一体に形成されかつ起立姿勢から傾倒姿勢に折り曲げられて前記一対の摘み片の対向間に楔状に押し込まれたときに当該一対の摘み片を離隔させるように突っ張って前記挟持部の挟持幅を弾性的に縮小させるためのロック片とを有し、前記ロック片は、前記一対の摘み片の対向方向と直交する方向に配置されている、ことを特徴としている。
【０００９】
この構成では、ロック片が前記一対の摘み片と離れた位置に設けられていて、上記特許文献１のような「一対の摘み片に突っ張りロック片を薄肉部を介して連接する」という形態になっていない。
【００１０】
そのため、上記構成では、前記ロック片を傾倒姿勢に折り曲げて前記一対の摘み片の対向間に押し込むと、上記特許文献１と異なり、前記ロック片が前記一対の摘み片の対向間で撓むこと無く突っ張る状態になるので、当該突っ張り力が弱くならずに、むしろ可及的に強くなる。
【００１１】
これにより、本発明に係る園芸用クリップを用いて前記棒状部材に柔軟シート状部材を固定する際に、固定強度が不足することが無くなって、むしろ可及的に高められることになる。
【００１２】
ところで、前記挟持部は、周方向の１ヶ所が分離された筒状部材とされ、前記一対の摘み片は、板状部材とされ、かつ前記挟持部に径方向外向きに延出するように連接されることによってそれらの対向間に側面視でＶ字形の空間を作るものとされ、前記ロック片は、前記筒状部材からなる挟持部の中心軸線方向において前記一対の摘み片の一側に、前記挟持部の径方向外向きに延出するように起立した姿勢で連接されている、構成とすることが好ましい。
【００１３】
この構成では、前記挟持部と前記一対の摘み片とロック片との形状を特定している。この特定によれば、前記ロック片の押し込み深さを変えることが可能になるとともに、この押し込み深さを変えることによって前記挟持部の挟持幅を適宜に拡大または縮小することが可能になるなど、前記棒状部材に対する柔軟シート状部材の固定強度を任意に調節することが可能になる。
【００１４】
また、前記ロック片は、前記一対の摘み片の対向方向と直交する方向で前記一対の摘み片と隣り合うように配置されている、ことが好ましい。
【００１５】
この構成では、前記ロック片を前記一対の摘み片の対向間に押し込んだときに、当該ロック片の幅広矩形部が前記一対の摘み片を離隔させる度合いを可及的に大きくするうえで有利になる。
【００１６】
また、前記一対の摘み片の内面には、その付け根側から先端側へ向けて複数の溝状部が並んで設けられており、前記ロック片は、板状に形成され、かつ傾倒姿勢に折り曲げられたときに当該ロック片においてその延出方向に沿う両側辺が前記複数の溝状部のうちのいずれかに嵌入される、ことが好ましい。
【００１７】
この構成では、前記ロック片を傾倒姿勢に折り曲げて前記一対の摘み片の対向間に押し込んだときに、その状態が比較的強固に保持されることになる。
【発明の効果】
【００１８】
本発明に係る園芸用クリップは、少なくとも、前記棒状部材に対する前記柔軟シート状部材の固定強度を高めることが可能になる。
【図面の簡単な説明】
【００１９】
【図１】本発明に係る園芸用クリップの一実施形態で、その全体の外観を示す斜視図である。
【図２】図１の園芸用クリップを反対側から見た状態を示す斜視図である。
【図３】図１および図２の園芸用クリップを一端側から見た図である。
【図４】図１および図２の園芸用クリップの平面図である。
【図５】図４の（５）−（５）線断面の矢視図である。
【図６】図３の先端側開口幅および挟持幅を拡大した状態を示す図である。
【図７】図５においてロック片を傾倒させた状態を示す図である。
【図８】図１の園芸用クリップの使用状態を示す図である。
【図９】図８の園芸用クリップの一端側から見た図である。
【発明を実施するための形態】
【００２０】
以下、本発明を実施するための最良の実施形態について添付図面を参照して詳細に説明する。
【００２１】
図１から図９に、本発明の一実施形態を示している。図中、５は園芸用クリップの全体を示している。
【００２２】
この園芸用クリップ５の詳細説明に先立ち、その使用対象について説明する。図示していないが、例えば果樹園やビニールハウスの周囲には、支柱や横桟等の棒状部材１を組み合わせた構造体が配置され、当該構造体にはシートやネット等の柔軟シート状部材２が覆うように取り付けられることがある。この柔軟シート状部材２を棒状部材１に固定する際に、本発明に係る園芸用クリップ５が用いられる。
【００２３】
棒状部材１は、例えば円筒形の鋼管、ステンレス鋼管あるいはアルミ管等とされる。前記鋼管には、例えば亜鉛めっき等の防錆処理を施したものとすることも可能である。又、棒状部材１の外形形状は、楕円形、あるいは角形（例えば三角形、四角形、五角形等）でもよく、また、中空の筒形でなく、中実であってもよい。
【００２４】
柔軟シート状部材２としては、透明あるいは半透明性で主として保温や雨よけを目的としたシートと、主に害虫や鳥獣の進入を防止するためのネット等が用いられる。
【００２５】
柔軟シート状部材２の１つである前記シートは、ポリエチレン、ポリプロピレン等のポリオレフィン、ポリエチレンテレフタレートやポリ乳酸等のポリエステル樹脂、ポリ塩化ビニール等の透明性、あるいは半透明性を有する合成樹脂をシート状に成形したものであり、その大きさや厚さは適宜設定される。
【００２６】
また、柔軟シート状部材２の１つである前記ネットは、ポリエチレン、ポリプロピレン、ポリエステル、ナイロン樹脂、ポリエステル等の合成樹脂、麻、綿等の天然樹脂等からなる線状体やバンドを網目状に成形したものであり、その強度や網目の大きさは、侵入防止すべき害虫や鳥獣のサイズを考慮して適宜設定される。
【００２７】
この実施形態に示す園芸用クリップ５は、挟持部６、一対の摘み片７，８、ロック片９を備えている。
【００２８】
挟持部６は、棒状部材１に挟み付けられるように周方向の１ヶ所が分離された筒状部材とされ、その先端側開口幅Ｗ１および棒状部材１に対する挟持幅Ｗ２が弾性的に拡大または縮小可能となるように構成されている。なお、挟持幅Ｗ２は、図３に示すように、一対の挟持片６ａ，６ｂの対向間隔のうちの最大対向間隔のこととされる。
【００２９】
この挟持部６は、側面視で略Ｃ字形状に形成されており、一対の挟持片６ａ，６ｂと、当該一対の挟持片６ａ，６ｂを連結する連結部６ｃとを有している。
【００３０】
挟持部６の内壁面は、その全体つまり一対の挟持片６ａ，６ｂの内壁面の全体および連結部６ｃの内壁面の全体が棒状部材１の外周面に密着するように構成されている。これにより、棒状部材１の外周面と挟持部６の内壁面との間に柔軟シート状部材２が挟まれるようになる。
【００３１】
一対の挟持片６ａ，６ｂの各先端側には、径方向外向きに突出する突片６ｄ，６ｅが設けられており、この突片６ｄ，６ｅの内面は、テーパ状に形成されている。これにより、各突片６ｄ，６ｅの対向間隔が先端側へ向けて漸次幅広になっている。
【００３２】
一対の摘み片７，８は、挟持部６に一体に形成されるものであって、挟持部６の先端側開口幅Ｗ１および挟持幅Ｗ２を弾性的に拡大するように操作するために設けられている。
【００３３】
一対の摘み片７，８は、それぞれ外形が逆さ台形状に形成された板状部材とされており、挟持部６を周方向で均等な３つの領域に区分けしたときに一側領域および他側領域と中間領域との各境界部分に、挟持部６の径方向外向きに延出するように連接されることによってそれらの対向間に側面視でＶ字形の空間を作るものとされている。
【００３４】
そして、一対の摘み片７，８の内面において幅方向（挟持部６の中心軸線方向に沿う方向）の中間には、突条部７ａ，８ａが設けられている。突条部７ａ，８ａは、一対の摘み片７，８の付け根側から先端側までのほぼ全長範囲に設けられている。
【００３５】
この突条部７ａ，８ａには、複数（例えば３つ）の溝状部（以下、内側溝状部と言う）７ｂ，８ｂが設けられている。内側溝状部７ｂ，８ｂは、突条部７ａ，８ａの長手方向と直交する方向に形成されており、突条部７ａ，８ａの長手方向に等間隔に平行に並べられることによって波状とされている。
【００３６】
この内側溝状部７ｂ，８ｂは、ロック片９を傾倒姿勢にして一対の摘み片７，８の対向間内に押し込んだときにロック片９の両側辺が係合されることによって前記傾倒姿勢を保持するために設けられている。
【００３７】
この内側溝状部７ｂ，８ｂは、断面でＵ字形のような曲面形状に形成されている。これにより、ロック片９を傾倒させたときに内側溝状部７ｂ，８ｂに嵌め入れ易くなる他、ロック片９を起立させるときに内側溝状部７ｂ，８ｂから抜き出し易くなるようになっている。
【００３８】
また、一対の摘み片７，８の外面には、滑り止め用の複数の溝状部（以下、外側溝状部と言う）７ｃ，８ｃが設けられている。外側溝状部７ｃ，８ｃは、一対の摘み片７，８の内面において幅方向（挟持部６の中心軸線方向に沿う方向）に形成されており、一対の摘み片７，８の延出方向に等間隔に平行に並べられることによって波状とされている。この外側溝状部７ｃ，８ｃは、断面で矩形状に形成されている。
【００３９】
ロック片９は、挟持部６に一体に形成されるものであって、挟持部６の先端側開口幅Ｗ１および挟持幅Ｗ２を弾性的に縮小させるとともに、当該縮小させた状態を保持するために設けられている。
【００４０】
このロック片９は、挟持部６の連結部６ｃにおいて一対の摘み片７，８の一側に隣り合う位置に、挟持部６の径方向外向きに延出するように起立した姿勢で連接されている。この一対の摘み片７，８の一側に隣り合う位置とは、挟持部６の中心軸線方向（一対の摘み片７，８の対向方向と直交する方向）において一対の摘み片７，８の一側のことである。
【００４１】
この起立姿勢のロック片９の全長寸法は、図１から図３に示すように、その先端側が一対の摘み片７，８の先端よりも径方向外側に飛び出すような寸法に設定されている。
【００４２】
ロック片９の突出方向の略中央から先端までの先端側領域９ａが、前記突出方向の略中央から付け根までの付け根側領域９ｂよりも幅広でかつ矩形状に形成されている。このため、先端側領域９ａを「幅広矩形部」と言い換えることもできる。
【００４３】
この先端側領域９ａは、図４に示すように、その幅方向に僅かに反らされた形状、言い換えれば先端側領域９ａの幅方向の中間部分が一対の摘み片７，８側へ向けて突出するように湾曲された形状に形成されている。
【００４４】
一方、付け根側領域９ｂは、先端側領域９ａよりも幅狭でかつ帯状に形成されている。このため、付け根側領域９ｂを幅狭帯状部と言い換えることもできる。この付け根側領域９ｂの長手方向途中には薄肉部９ｃが設けられている。この薄肉部９ｃは、ロック片９を起立姿勢から傾倒姿勢に折り曲げるときに折り曲げの起点となる。
【００４５】
そして、ロック片９は、起立姿勢から傾倒姿勢に約９０度折り曲げられて一対の摘み片７，８の対向間に楔状に押し込まれたときに当該一対の摘み片７，８を離隔させるように突っ張って挟持部６の先端側開口幅Ｗ１および挟持幅Ｗ２を弾性的に縮小するように機能する。
【００４６】
このようにロック片９を傾倒姿勢にしたときに当該ロック片９においてその両側辺（突出方向に沿う端辺部分）が一対の摘み片７，８の内側溝状部７ｂ，８ｂに嵌入されることになって、そのロック片９の傾倒姿勢および前記先端側開口幅Ｗ１および挟持幅Ｗ２の縮小状態が保持されることになる。
【００４７】
このような園芸用クリップ５は、例えばポリエチレン、ＡＢＳ樹脂、ＡＡＳ樹脂、ＡＳＡ樹脂、ポリアセタール樹脂、ポリエステル樹脂、エラストマー、ラバー等を素材とするものであって、成形により製作される。
【００４８】
なお、一対の挟持片６ａ，６ｂは連結部６ｃよりも厚肉に形成されており、そうすることによって一対の摘み片７，８を近接させるように摘んだときに、一対の挟持片６ａ，６ｂが変形せずに連結部６ｃが弾性変形して一対の挟持片６ａ，６ｂの先端側開口幅Ｗ１および挟持幅Ｗ２が拡大または縮小されるようになる。
【００４９】
次に、上記園芸用クリップ５の使用方法を説明する。
【００５０】
まず、棒状部材１の表面に柔軟シート状部材２を載せる。その一方で、図６に示すように、園芸用クリップ５の一対の摘み片７，８を近接させるように人の指で摘むことにより図３に示す挟持部６の先端側開口幅Ｗ１および挟持幅Ｗ２を図６のＷ１´，Ｗ２´に示すように棒状部材１の外径寸法よりも大きく拡げてから、当該園芸用クリップ５の挟持部６の内壁面を棒状部材１の外周面に覆い被せる。この後、一対の摘み片７，８から指を離すことにより挟持部６の先端側開口幅Ｗ１および挟持幅Ｗ２を図３に示すように縮小させると、挟持部６の内壁面が柔軟シート状部材２の上から棒状部材１の外周面に押し付けられる。
【００５１】
これにより、図９に示すように、柔軟シート状部材２が棒状部材１の外周面に巻き付けられるとともに、挟持部６の内壁面の全体が棒状部材１の外周面に合致するように嵌め合わされることになって、挟持部６の内壁面と棒状部材１の外周面との間に柔軟シート状部材２が挟持されることになる。
【００５２】
この後、図７に示すように、起立姿勢のロック片９の先端側領域９ａに指を押し付けて傾倒させることによって、当該先端側領域９ａを一対の摘み片７，８の対向間内に楔状に押し込んで、当該先端側領域９ａの両側辺を一対の摘み片７，８の突条部７ａ，８ａに設けられている複数の内側溝状部７ｂ，８ｂのうちの適宜の内側溝状部７ｂ，８ｂに係合させる。
【００５３】
これにより、ロック片９が一対の摘み片７，８の対向間で突っ張ることになって一対の摘み片７，８を離隔させることになるので、挟持部６の先端側開口幅Ｗ１および挟持幅Ｗ２が弾性的に縮小されることになって、一対の挟持片６ａ，６ｂの内壁面が柔軟シート状部材２を介して棒状部材１の外周面に強く押し付けられることになる。これにより、棒状部材１に柔軟シート状部材２を強固に固定することが可能になる。
【００５４】
このように取り付けた園芸用クリップ５を取り外す場合には、まず、ロック片９を起立させるように引き起こすことにより一対の摘み片７，８の対向間から抜き出してから、この一対の摘み片７，８を摘むことにより挟持部６の先端側開口幅Ｗ１および挟持幅Ｗ２を弾性的に拡大させる。この状態で、園芸用クリップ５を棒状部材１から引き離すように径方向外向きに引っ張ればよい。
【００５５】
なお、前記したように一対の摘み片７，８の外面に外側溝状部７ｃ，８ｃを設けているので、一対の摘み片７，８を摘む際に指が滑りにくくなる。これにより、指で摘んだ状態を維持しやすくなる。
【００５６】
また、一対の挟持片６ａ，６ｂの突片６ｄ，６ｅの内面をテーパ状に形成しているので、当該テーパ状内面を柔軟シート状部材２の上から棒状部材１の外周面に押し付ける際に、挟持部６を棒状部材１に挟み付けるように嵌め合わせることが容易になる。
【００５７】
さらに、図４に示すように、ロック片９の先端側領域９ａを幅方向に僅かに反らせた形状、言い換えれば幅方向の中間部分を一対の摘み片７，８側へ向けて突出させるように湾曲させた形状にしているので、ロック片９を傾倒させる際に、先端側領域９ａに指を押し付けやすくなって、ロック片９に傾倒させる力をかけやすくなる。
【００５８】
その他、一対の摘み片７，８の内面の突条部７ａ，８ａに複数の内側溝状部７ｂ，８ｂを設けているので、ロック片９の押し込み深さを段階的に変えることが可能になるとともに、この押し込み深さを段階的に変えることによって挟持部６の先端側開口幅Ｗ１および挟持幅Ｗ２を段階的に拡大または縮小することが可能になるなど、棒状部材１に対する柔軟シート状部材２の固定強度を任意に調節することができるようになる。
【００５９】
さらに、図４に示すように、ロック片９の先端側領域９ａの両側辺が丸みを帯びた形状に形成されているとともに、図３に示すように、内側溝状部７ｂ，８ｂが断面Ｕ字形に形成されているので、ロック片９を引き起こす際に、ロック片９にそれを引き起こすための力を加えるだけで、ロック片９の先端側領域９ａの両側辺が内側溝状部７ｂ，８ｂから比較的簡単に抜け出すことになって、ロック片９が比較的簡単に起立姿勢に戻されるようになる。
【００６０】
しかも、図１から図３に示すように、ロック片９を起立姿勢での全長寸法を一対の摘み片７，８の全長寸法よりも長くしているので、ロック片９を起立姿勢にしている状態、つまり挟持部６を棒状部材１に挟み付けていても、ロックしていない状態では、そのことを一目で認識できるようになる。つまり、棒状部材１に挟み付けた挟持部６をロック状態にしているか否かを簡単に目視確認できるようになるなど、便利である。
【００６１】
以上説明したように本発明を適用した実施形態の園芸用クリップ５では、ロック片９が一対の摘み片７，８と離れた位置に設けられていて、上記特許文献１のような「一対の摘み片に突っ張りロック片を薄肉部を介して連接する」という形態になっていない。
【００６２】
そのため、この実施形態の園芸用クリップ５によれば、板状のロック片９を傾倒姿勢に折り曲げて一対の摘み片７，８の対向間に押し込むと、上記特許文献１と異なり、板状のロック片９が一対の摘み片７，８の対向間で撓むこと無く突っ張る状態になるので、当該突っ張り力が弱くならずに、むしろ可及的に強くなる。
【００６３】
これにより、本発明に係る園芸用クリップ５を用いて棒状部材１に柔軟シート状部材２を固定する際に、上記特許文献１と異なり固定強度が不足することが無くなって、むしろ可及的に高められることになる。
【００６４】
なお、本発明は、上記実施形態のみに限定されるものではなく、特許請求の範囲内および当該範囲と均等の範囲内で適宜に変更することが可能である。
【００６５】
（１）上記実施形態では、挟持部６の内壁面の形状を円形にした場合を例に挙げているが、本発明はこれのみに限定されるものではない。
【００６６】
例えば、挟持部６の内壁面の形状は、園芸用クリップ５の使用対象となる棒状部材１の外周面形状に倣った形状にすることが可能である。
【００６７】
（２）上記実施形態では、挟持部６の内壁面全体つまり一対の挟持片６ａ，６ｂの内壁面および連結部６ｃの内壁面を棒状部材１の外周面に密着させる形態を例に挙げているが、本発明はこれのみに限定されるものではない。
【００６８】
例えば一対の挟持片６ａ，６ｂの内壁面のみを棒状部材１の外周面に密着させる形態にすることが可能である。その場合、一対の挟持片６ａ，６ｂの内壁面の全体を棒状部材１の外周面に密着させる形態にしてもよいし、一対の挟持片６ａ，６ｂの内壁面の一部を棒状部材１の外周面に密着させる形態にしてもよい。
【００６９】
（３）上記実施形態において、一対の摘み片７，８は指で摘める大きさであれば、その形状は特に限定されないし、また、ロック片９は指で押せる大きさであれば、その形状は特に限定されない。さらに、突条部７ａ，８ａは、挟持部６の長手方向に複数設けることが可能である。
【００７０】
（４）上記実施形態では、ロック片９を挟持部６の中心軸線で一対の摘み片７，８に隣り合うように配置した例を挙げているが、本発明はこれのみに限定されるものではない。
【００７１】
例えばロック片９は、図示していないが、一対の摘み片７，８の間に配置することが可能である。
【産業上の利用可能性】
【００７２】
本発明は、棒状部材に柔軟シート状部材を固定するための園芸用クリップに好適に利用することが可能である。
【符号の説明】
【００７３】
１  棒状部材
２  シート状部材
５  園芸用クリップ
６  挟持部
６ａ  挟持片
６ｂ  挟持片
６ｃ  連結部
６ｄ  突片
６ｅ  突片
７，８  摘み片
７ａ，８ａ  突条部
７ｂ，８ｂ  内側溝状部
７ｃ，８ｃ  外側溝状部
９  ロック片
９ａ  先端側領域（幅広矩形部）
９ｂ  付け根側領域（幅狭帯状部）
９ｃ  薄肉部
Ｗ１  先端側開口幅
Ｗ２  挟持幅
【図１】
2018000017.tif 000003
【図２】
2018000017.tif 000004
【図３】
2018000017.tif 000005
【図４】
2018000017.tif 000006
【図５】
2018000017.tif 000007
【図６】
2018000017.tif 000008
【図７】
2018000017.tif 000009
【図８】
2018000017.tif 000010
【図９】
2018000017.tif 000011